(57)【特許請求の範囲】
【請求項１】
測色した色彩データが供給されるデータ処理部と、
上記データ処理部に制御データを与える操作部と、
上記データ処理部による処理結果を表示する画像表示部とを備え、
上記データ処理部は、上記操作部の操作による表示色空間の指定操作を受け付けて、指定された表示色空間上のグラフとして上記色彩データを色差許容範囲とともに上記画像表示部に表示させるデータ処理を行うとともに、上記色彩データが色差許容範囲内に有るか否かの判定処理を行い、上記色差許容範囲内にない色彩データについて、上記色差許容範囲内での最近似値を演算して上記画像表示部に表示させるデータ処理を行うことを特徴とする測色データ処理装置。
【請求項２】
上記データ処理部は、色彩データを基準の色彩とともに疑似表示色として上記画像表示部に表示させるデータ処理を行うことを特徴とする請求項１記載の測色データ処理装置。
【請求項３】
測色した色彩データが供給されるデータ処理部と、
上記データ処理部に制御データを与える操作部と、
上記データ処理部による処理結果を表示する画像表示部とを備え、
上記データ処理部は、上記操作部の操作による色差許容範囲の指定操作を受け付けて、上記色彩データを指定された色差許容範囲とともに色空間上のグラフとして上記画像表示部に表示させるデータ処理を行うとともに、上記色彩データが色差許容範囲内に有るか否かの判定処理を行い、上記色差許容範囲内にない色彩データについて、上記色差許容範囲内での最近似値を演算して上記画像表示部に表示させるデータ処理を行うことを特徴とする測色データ処理装置。
【請求項４】
上記データ処理部は、色彩データを基準の色彩とともに疑似表示色として上記画像表示部に表示させるデータ処理を行うことを特徴とする請求項３記載の測色データ処理装置。
【発明の詳細な説明】
【０００１】
【産業上の利用分野】
本発明は、物体色を計測した測色結果を画像表示する測色データ処理装置に関するものである。
【０００２】
【従来の技術】
一般に、光の色光エネルギー分布の相違によって、その性質の差異が認められる知覚色と、光の色光エネルギー分布の相違によって、その性質の差異が認められる可視放射の特性して規定される心理物理色に分類される。
【０００３】
そして、上記心理物理色を表示する表色系としては、三刺激値によって表示するＣＩＥ（Ｃｏｍｍｉｓｓｉｏｎ  Ｉｎｔｅｒｎａｔｉｏｎａｌｅ  ｄｅ  ｌ’Ｅｃｌａｉｒａｇｅ：国際照明委員会）のＲＧＢ表色系やＸＹＺ表色系などが知られいる。また、上記知覚色を表示する表色系としては、均等知覚色空間に基づくＣＩＥのＬ＊  ａ＊  ｂ  ＊  表色系や知覚的に均等な色尺度に基づいた表面色の表示系であるマンセル表色系などが広く知られている。
【０００４】
さらに、二つの知覚色の知覚的相違を数値によって表す色差は、その表色系の色空間における間内の２点間の幾何学的距離で量的に表され、例えばＪＩＳのＺ８７３０において色差表示方法として規定されているように、例えばＬ＊  ａ＊  ｂ  ＊  表色系における色差ΔＥ＊  ａｂは、
ΔＥ＊  ａｂ＝｛（ΔＬ＊  ）２  ＋（Δａ＊  ）２    （Δｂ＊  ）２  ｝１／２  
によって計算される。ここで、ΔＬ＊  ，Δａ＊  ，Δｂ＊  は、Ｌ＊  ａ＊  ｂ  ＊  表色系における二つの物体色の明度指数Ｌ＊  及びクロマティックネス指数ａ＊  ，ｂ＊  の差である。上記Ｌ＊  ，ａ＊  ，ｂ＊  の値は、ＪＩＳ  Ｚ  ８７２２（２度視野ＸＹＺ系による物体色の測定方法）又はＪＩＳ  Ｚ  ８７２７（１０度視野ＸＹＺ系による物体色の測定方法）に規定する三刺激値Ｘ，Ｙ，Ｚから、
Ｌ＊  ＝１１６（Ｙ／Ｙｎ  ）１／３  −１６
ａ＊  ＝５００〔（Ｘ／Ｘｎ  ）１／３  −（Ｙ／Ｙｎ  ）１／３  〕
ｂ＊  ＝２００〔（Ｙ／Ｙｎ  ）１／３  −（Ｚ／Ｚｎ  ）１／３  〕
により計算される。なお、上記Ｘ，Ｙ，ＺはＸＹＺ系における三刺激値であり、また、Ｘｎ  ，Ｙｎ  ，Ｚｎ  は完全拡散反射面のＸＹＺ系における三刺激値である。
【０００５】
【発明が解決しようとする課題】
ところで、物体色を測定する光電色彩計などの測色計では測定した色彩値や色差（色空間上の空間距離）が数値のみで表されており、例えば色差は緑寄りであろうと赤寄りであろうと差が同じであれば同じ値になってしまうので、色空間上のどの方向にづれているのかが判り難く、測色値から実際の色をイメージすることは熟練者でなければ極めて困難であった。
【０００６】
また、色を規定する場合、その色差の許容範囲は、種々の目的により異なり、その都度許容範囲を調べて確認する必要があり、その作業が非常に煩雑であった。
【０００７】
そこで、本発明は、上述の如き実情に鑑み、測色計で測定した物体色を容易に認識できるようにすることを目的とする。
【０００９】
また、本発明の他の目的は、測色した色彩データについて、色差許容範囲内に有るか否かを簡単に判断することができる測色データ処理装置を提供することにある。
【００１７】
【課題を解決するための手段】
上述の課題を解消するために、本発明に係る測色データ処理装置は、測色した色彩データが供給されるデータ処理部と、上記データ処理部に制御データを与える操作部と、上記データ処理部による処理結果を表示する画像表示部とを備え、上記データ処理部は、上記操作部の操作による表示色空間の指定操作を受け付けて、指定された表示色空間上のグラフとして上記色彩データを色差許容範囲とともに上記画像表示部に表示させるデータ処理を行うとともに、上記色彩データが色差許容範囲内に有るか否かの判定処理を行い、上記色差許容範囲内にない色彩データについて、上記色差許容範囲内での最近似値を演算して上記画像表示部に表示させるデータ処理を行うことを特徴とする。
【００１８】
また、本発明に係る測色データ処理装置は、測色した色彩データが供給されるデータ処理部と、上記データ処理部に制御データを与える操作部と、上記データ処理部による処理結果を表示する画像表示部とを備え、上記データ処理部は、上記操作部の操作による色差許容範囲の指定操作を受け付けて、上記色彩データを指定された色差許容範囲とともに色空間上のグラフとして上記画像表示部に表示させるデータ処理を行うとともに、上記色彩データが色差許容範囲内に有るか否かの判定処理を行い、上記色差許容範囲内にない色彩データについて、上記色差許容範囲内での最近似値を演算して上記画像表示部に表示させるデータ処理を行うことを特徴とする。
【００２６】
【作用】
本発明に測色データ処理装置では、データ処理部により、表示色空間の指定操作を受け付けて、指定された表示色空間上のグラフとして色彩データを色差許容範囲とともに画像表示部に表示させるとともに、上記色彩データが色差許容範囲内に有るか否かの判定処理を行い、上記色差許容範囲内にない色彩データについて、上記色差許容範囲内での最近似値を演算して上記画像表示部に表示させる。
【００２７】
また、本発明に係る測色データ処理装置では、データ処理部により、色差許容範囲の指定操作を受け付けて、色彩データを指定された色差許容範囲とともに色空間上のグラフとして画像表示部に表示させるとともに、上記色彩データが色差許容範囲内に有るか否かの判定処理を行い、上記色差許容範囲内にない色彩データについて、上記色差許容範囲内での最近似値を演算して上記画像表示部に表示させる。
【００３５】
【実施例】
以下、本発明の一実施例について図面を参照して詳細に説明する。
【００３６】
本発明に係る測色データ処理装置は、例えば図１に示すように構成される。この測色データ処理装置は、測色計１により物体色を測定して得られた色彩データが供給される色彩値処理装置２と、この色彩値処理装置２により上記色彩データに所定の処理を施して得られた画像データが供給される画像表示装置３を備えてなる。上記色彩値処理装置２には、制御データなどを入力するための入力操作手段としてキーボード４やマウス５や接続されているとともに、色空間や色差許容範囲などの各種データ記憶した外部記憶装置６が接続されている。
【００３７】
上記測色計１は、色材を包含する工業製品や図示しない画像処理装置により合成した合成画像を印刷したカラー印刷物など被測色物（サンプル）について色の測定を行い、その測定結果として得られた各サンプルの色彩データを色彩値処理装置２に供給する。
【００３８】
また、上記色彩値処理装置２は、例えば図２に示すように、バスを介して接続された入出力インターフェース１１、ＣＰＵ１２、入力バッファメモリ１３、ＲＯＭ１４、出力バッファメモリ１５などを備えてなる。上記ＲＯＭ１４は、上記ＣＰＵ１２が実行すべき処理の制御プログラム、例えば図３に示す処理手順に従った制御プログラムなどが記憶されている。
【００３９】
そして、この色彩値処理装置２において、上記測色計１により物体色を測定して得られた色彩データは、上記入出力インターフェース１１を介して上記入力バッファメモリ１３に書き込まれる。この入力バッファメモリ１３に書き込まれた色彩データについて、上記ＣＰＵ１２は、上記ＲＯＭ１４から読み出される制御プログラムに従って、図３に示す処理手順で処理動作を行う。
【００４０】
先ず、ステップ１では、上記入力バッファメモリ１３に書き込まれた色彩データについて、上記キーボード４やマウス５の操作による処理すべき色彩データの選択操作を受け付ける。
【００４１】
また、ステップ２では、上記ステップ１において選択された色彩データについて、上記キーボード４やマウス５の操作によるＲＧＢ空間、ＸＹＺ空間、Ｌ＊  ａ＊  ｂ  ＊  空間やマンセル空間などの表示空間の指定操作を受け付けて、指定された表示空間の設定を行う。
【００４２】
さらに、この実施例の色彩値処理装置２では、任意の光源下での測定される物体色の変化特性についての処理をステップ３乃至ステップ５において行うようになっている。
【００４３】
すなわち、ステップ３では、上記キーボード４やマウス５の操作による光源データの選択操作を受け付けて、選択された光源データにより光源環境を設定する。
【００４４】
また、ステップ４では、上記ステップ３において選択された光源データに応じて、光源変化による測定される物体色の変化特性の表示を行う。
【００４５】
さらに、ステップ５では、上記キーボード４やマウス５の操作による光源の変化による測定される物体色の変化特性の表示空間の指定操作を受け付けて、指定された表示空間の設定を行う。
【００４６】
また、ステップ６では、上記ステップ２やステップ５において指定された表示空間に対して、上記キーボード４やマウス５の操作による２次元表示又は３次元表示の選択操作を受け付けて、指定された２次元表示又は３次元表示の設定を行う。
【００４７】
また、ステップ７では、上記キーボード４やマウス５の操作による色彩表示又は色差表示の選択操作を受け付け、色差表示の選択入力を受け付けた場合にはステップ８に移り、色彩表示の選択入力を受け付けた場合には後述するステップ１４に移る。
【００４８】
また、ステップ８では、上記ステップ１において選択された色彩データについて、上記ステップ２において指定された表示空間例えば図４に示すようにＲＧＢ空間上での色彩値を演算して表示するとともに、上記ＲＧＢ空間上で基準の色彩に対する色差を表示する。すなわち、ＲＧＢ空間上で色彩値を座標とするサンプル点（上記色彩データとして測色された色彩）Ａを比較する基準の色彩を示す基準点Ｏとともに表示することにより、上記サンプル点Ａと基準点Ｏとの距離として色差を表す。なお、上記ステップ３において光源データが選択されている場合には、この光源データによる光源の変化による測定される物体色の変化特性も合わせて上記色彩値表示及び色差表示を行う。
【００４９】
このように、選択した色空間上でのサンプル点Ａと基準点Ｏとの距離として色差をグラフ表示することにより、色差及び光源の変化による測定される物体色の変化特性の視認性を向上させることができる。
【００５０】
さらに、ステップ９では、上記キーボード４やマウス５の操作による色差許容範囲の指定操作を受け付けて、指定された色差許容範囲の設定を行う。
【００５１】
また、ステップ１０では、図４に網かけを施した領域で示すように、上記ステップ８において色差を表示したＲＧＢ空間上に、上記ステップ９で設定された色差許容範囲を表示する。このように、色差を表示した色空間上に色差許容範囲を表示することにより、サンプル点が色差許容範囲内に有るか否かを視覚的に判断することができる。
【００５２】
また、ステップ１１では、上記ステップ１０においてＲＧＢ空間上に表示した色差許容範囲内にサンプル点が入っているか否かの判定処理を行い、その判定結果が「ＮＯ」すなわち上記サンプル点が色差許容範囲内に無いときにはステップ１２に進み、その判定結果が「ＹＥＳ」すなわち上記サンプル点が色差許容範囲内に有るときにはステップ１３に進む。
【００５３】
また、ステップ１２では、上記ステップ１０においてＲＧＢ空間上に表示した色差許容範囲内で上記サンプル点に最も近い色彩値（最近似値）を演算する。そして、この最近似値を表示するとともに、図５に示すように、上記最近似値を座標とする最近似点をＲＧＢ空間上に表示してからステップ１４に進む。
【００５４】
また、ステップ１３では、上記キーボード４やマウス５の操作による基準色の変更の有無の指定操作を受け付けて、基準色の変更有りの操作を受け付けたときには基準色を変更して上記ステップ７の色差の表示処理に戻り、また、基準色の変更無しの操作を受け付けたときには次のステップ１４に進む。
【００５５】
また、ステップ１４では、上記ステップ７において色彩表示の選択入力を受け付けた場合に、上記ステップ１において選択された色彩データを疑似表示色として、画像表示する。また、このステップ１４では、上記ステップ１３で基準色の変更無しの操作を受け付けたときに、上記ステップ１０において上記サンプル点が色差許容範囲内に有ると判定されたサンプル点Ａの疑似表示色を上記基準点Ｏの疑似表示色とともに、画像表示する。さらに、上記ステップ１１で上記サンプル点が色差許容範囲内に無いと判定された場合に、上記ステップ１２において算出された上記サンプル点Ａに対する最近似点の疑似表示色を上記基準点Ｏの疑似表示色とともに、画像表示する。
【００５６】
このように、サンプル点Ａ又は該サンプル点Ａに対する最近似点Ｂの疑似表示色を基準点Ｏの疑似表示色とともに、図６に示すように画像表示することにより、色差を目視確認することができる。
【００５７】
【発明の効果】
以上のように、本発明に係る測色データ処理装置では、操作部により所望の表示色空間を指定して、その表示色空間上のグラフとして色彩データを色差許容範囲とともに画像表示部に表示させることができ、使用者が、上記画像表示部の表示内容に基づいて、上記色彩データが所望の表示色空間上において色差許容範囲内に有るか否かを簡単に判断することができるとともに、色のずれ方向も即座に判断することができるようになる。しかも、この測色データ処理装置において、測定した色彩データが色差許容範囲内に有るか否かの判定処理をデータ処理部により定量的に行うことができ、色差許容範囲内にない色彩データの上記色差許容範囲内での最近似値を演算して画像表示部に表示させるので、使用者が、上記画像表示部の表示内容に基づいて、光源の変化などによる測定される物体色の変化特性を考慮しながら、上記色彩データにより示されるサンプルの色彩に最も近い色差許容範囲内の色彩を簡単に認識することができる。
【００５８】
また、本発明に係る測色データ処理装置では、操作部により所望の色差許容範囲を指定して、その色差許容範囲とともに色彩データを色空間上のグラフとして上記画像表示部に表示させることができ、使用者が、上記画像表示部の表示内容に基づいて、上記色彩データが所望の色差許容範囲内に有るか否かを簡単に判断することができるとともに、色のずれ方向も即座に判断することができるようになる。しかも、この測色データ処理装置において、測定した色彩データが色差許容範囲内に有るか否かの判定処理をデータ処理部により定量的に行うことができ、色差許容範囲内にない色彩データの上記色差許容範囲内での最近似値を演算して画像表示部に表示させるので、使用者が、上記画像表示部の表示内容に基づいて、光源の変化などによる測定される物体色の変化特性を考慮しながら、上記色彩データにより示されるサンプルの色彩に最も近い色差許容範囲内の色彩を簡単に認識することができる。
【００６０】
さらにまた、本発明に係る測色データ処理装置では、色彩データを基準の色彩とともに疑似表示色として画像表示部に表示させることにより、使用者が、上記画像表示部の表示内容に基づいて、疑似表示色ではあるがサンプルの色彩と基準の色彩と簡単に比較検討することができる。
【図面の簡単な説明】
【図１】本発明に係る測色データ処理装置の構成を示すブロック図である。
【図２】上記測色データ処理装置における色彩値処理装置の構成を示すブロック図である。
【図３】上記測色データ処理装置における色彩データの処理手順を示すフローチャートである。
【図４】上記測色データ処理装置における画像表示装置の表示内容の一例を示す図である。
【図５】上記測色データ処理装置における画像表示装置の表示内容の他の例を示す図である。
【図６】上記測色データ処理装置における画像表示装置の表示内容のさらに他の例を示す図である。
【符号の説明】
１・・・・・・・・測色計
２・・・・・・・・色彩値処理装置
３・・・・・・・・画像表示装置
４・・・・・・・・キーボード
５・・・・・・・・マウス
６・・・・・・・・外部記憶装置
【図１】
0003601060.tif 000002
【図２】
0003601060.tif 000003
【図３】
0003601060.tif 000004
【図４】
0003601060.tif 000005
【図５】
0003601060.tif 000006
【図６】
0003601060.tif 000007